(57)【要約】  本発明の実施例は、通信の技術分野に関し、関連技術におけるユーザデバイスＵＥがアンライセンス周波数帯域でセミパーシステントスケジューリングを用いて上りリンク伝送を行う中での上りリンク伝送の遅延の問題を解決するための決定方法、端末及びネットワーク機器を提供する。当該方法は、ネットワーク機器から第一情報を受信するステップであって、当該第一情報は、第一周期内の上りリンクデータチャネルのＭ個の候補伝送機会を指示するためのものであり、第一周期は、アンライセンス周波数帯域でのセミパーシステントスケジューリングリソースの一周期であり、Ｍは、２以上の正整数であるステップと、第一情報に基づいて、当該第一周期内の上りリンクデータチャネルのＭ個の候補伝送機会を決定するステップとを包含する。【選択図】  図２
2021533661.tif 000002
【特許請求の範囲】
【請求項１】
端末に適用される決定方法であって、
ネットワーク機器から第一情報を受信するステップであって、前記第一情報は、第一周期内の上りリンクデータチャネルのＭ個の候補伝送機会を指示するためのものであり、前記第一周期は、アンライセンス周波数帯域でのセミパーシステントスケジューリングリソースの一周期であり、Ｍは、２以上の正整数であるステップと、
前記第一情報に基づいて、前記第一周期内の上りリンクデータチャネルのＭ個の候補伝送機会を決定するステップとを包含する、ことを特徴とする決定方法。
【請求項２】
前記第一情報は、前記第一周期内の各々の候補伝送機会の第一時間位置又は前記第一周期内の１個目の候補伝送機会の第一時間位置、前記Ｍ個の候補伝送機会に対応する時間ウィンドウ長及び時間領域リソース長セットのうち、少なくとも１つを指示するためのものであり、前記第一時間位置は、開始位置及び終了位置のうち、少なくとも１つを含み、前記時間領域リソース長セットは、前記各々の候補伝送機会の時間領域リソース長を指示するための少なくとも１つの時間領域リソース長を含む、ことを特徴とする請求項１に記載の決定方法。
【請求項３】
前記Ｍ個の候補伝送機会は、時間領域において、連続的であるか、又は等間隔である、ことを特徴とする請求項２に記載の決定方法。
【請求項４】
前記Ｍ個の候補伝送機会は、上りリンクタイムスロット／サブフレーム／シンボルに位置する、ことを特徴とする請求項２に記載の決定方法。
【請求項５】
前記第一情報に基づいて、前記第一周期内の上りリンクデータチャネルのＭ個の候補伝送機会を決定するステップは、
前記第一情報が各候補伝送機会の第一時間位置を指示するためのものである場合、前記各候補伝送機会の第一時間位置及び対応する時間領域リソース長に基づいて、前記各候補伝送機会を決定すること、
又は、
前記第一情報が１個目の候補伝送機会の第一時間位置を指示するためのものである場合、前記１個目の候補伝送機会の第一時間位置及び対応する時間領域リソース長に基づいて、前記各候補伝送機会を決定することを包含する、ことを特徴とする請求項１〜４の何れか一項に記載の決定方法。
【請求項６】
前記決定方法は、
第一候補伝送機会で前記上りリンクデータチャネルを送信するステップであって、
前記第一候補伝送機会の前に、前記端末による前記セミパーシステントスケジューリングリソースの傍受は、その傍受結果がアイドルであり、前記第一候補伝送機会は、前記Ｍ個の候補伝送機会のうち、少なくとも１つの候補伝送機会であり、前記上りリンクデータチャネルには、上りリンク制御情報ＵＣＩが搬送されているステップを更に包含する、ことを特徴とする請求項１に記載の決定方法。
【請求項７】
前記上りリンク制御情報ＵＣＩは、前記上りリンクデータチャネルの第一直交周波数分割多重ＯＦＤＭシンボルから始まるＯＦＤＭシンボル上にマッピングされ、前記第一直交周波数分割多重ＯＦＤＭシンボルは、復調参照信号ＤＭＲＳを搬送する最初の連続直交周波数分割多重ＯＦＤＭシンボル集合の後にあるＸ個目の直交周波数分割多重ＯＦＤＭシンボルであるか、又は、前記最初の連続直交周波数分割多重ＯＦＤＭシンボル集合の前にあるＺ個目の直交周波数分割多重ＯＦＤＭシンボルであり、Ｘ、Ｚは、予め定義されたものであるか、又は、前記ネットワーク機器により端末用に設定されたものであり、Ｘ、Ｚは、１以上の正整数である、ことを特徴とする請求項６に記載の決定方法。
【請求項８】
前記決定方法は、
前記上りリンクデータチャネルに対して周波数ホッピングを行うステップであって、
前記上りリンク制御情報ＵＣＩは、Ｎ＋１節の上りリンク制御情報ＵＣＩセグメントからなり、前記上りリンクデータチャネルのホッピング毎に１節の上りリンク制御情報ＵＣＩセグメントが搬送され、Ｎは、周波数ホッピング回数であり、Ｎは、１以上の正整数であるステップを更に包含する、ことを特徴とする請求項６又は７に記載の決定方法。
【請求項９】
ネットワーク機器に適用される決定方法であって、
第一情報を端末に送信するステップであって、前記第一情報は、第一周期内の上りリンクデータチャネルのＭ個の候補伝送機会を指示するためのものであり、Ｍは、２以上の正整数であり、前記第一周期は、アンライセンス周波数帯域でのセミパーシステントスケジューリングリソースの一周期であり、前記第一情報は、前記端末に、前記第一情報に基づいて、前記第一周期内の上りリンクデータチャネルのＭ個の候補伝送機会を決定するように指示するためのものであるステップを包含する、ことを特徴とする決定方法。
【請求項１０】
前記第一情報は、前記第一周期内の各々の候補伝送機会の第一時間位置又は前記第一周期内の１個目の候補伝送機会の第一時間位置、前記Ｍ個の候補伝送機会に対応する時間ウィンドウ長及び時間領域リソース長セットのうち、少なくとも１つを指示するためのものであり、前記第一時間位置は、開始位置及び終了位置のうち、少なくとも１つを含み、前記時間領域リソース長セットは、前記各々の候補伝送機会の時間領域リソース長を指示するための少なくとも１つの時間領域リソース長を含む、ことを特徴とする請求項９に記載の決定方法。
【請求項１１】
前記Ｍ個の候補伝送機会は、時間領域において、連続的であるか、又は等間隔である、ことを特徴とする請求項１０に記載の決定方法。
【請求項１２】
前記Ｍ個の候補伝送機会は、上りリンクタイムスロット／サブフレーム／シンボルに位置する、ことを特徴とする請求項１０に記載の決定方法。
【請求項１３】
前記第一情報を端末に送信するステップの後に、前記決定方法は、
前記端末から第一候補伝送機会で送信された前記上りリンクデータチャネルを受信するステップであって、
前記第一候補伝送機会の前に、前記端末による前記セミパーシステントスケジューリングリソースの傍受は、その傍受結果がアイドルであり、前記第一候補伝送機会は、前記Ｍ個の候補伝送機会のうち、少なくとも１つの候補伝送機会であり、前記上りリンクデータチャネルには、上りリンク制御情報ＵＣＩが搬送されているステップを更に包含する、ことを特徴とする請求項９〜１２の何れか一項に記載の決定方法。
【請求項１４】
前記上りリンク制御情報ＵＣＩは、前記上りリンクデータチャネルの第一直交周波数分割多重ＯＦＤＭシンボルから始まるＯＦＤＭシンボル上にマッピングされ、前記第一直交周波数分割多重ＯＦＤＭシンボルは、復調参照信号ＤＭＲＳを搬送する最初の連続直交周波数分割多重ＯＦＤＭシンボル集合の後にあるＸ個目の直交周波数分割多重ＯＦＤＭシンボルであるか、又は、前記最初の連続直交周波数分割多重ＯＦＤＭシンボル集合の前にあるＺ個目の直交周波数分割多重ＯＦＤＭシンボルであり、Ｘ、Ｚは、予め定義されたものであるか、又は、前記ネットワーク機器により端末用に設定されたものであり、Ｘ、Ｚは、１以上の正整数である、ことを特徴とする請求項１３に記載の決定方法。
【請求項１５】
ネットワーク機器から第一情報を受信するための受信モジュールであって、前記第一情報は、第一周期内の上りリンクデータチャネルのＭ個の候補伝送機会を指示するためのものであり、前記第一周期は、アンライセンス周波数帯域でのセミパーシステントスケジューリングリソースの一周期であり、Ｍは、２以上の正整数である受信モジュールと、
前記受信モジュールにより受信された前記第一情報に基づいて、前記第一周期内の上りリンクデータチャネルのＭ個の候補伝送機会を決定するための決定モジュールとを含む、ことを特徴とする端末。
【請求項１６】
第一情報を端末に送信するための送信モジュールであって、前記第一情報は、第一周期内の上りリンクデータチャネルのＭ個の候補伝送機会を指示するためのものであり、Ｍは、２以上の正整数であり、前記第一周期は、アンライセンス周波数帯域でのセミパーシステントスケジューリングリソースの一周期であり、前記第一情報は、前記第一情報に基づいて、前記第一周期内の上りリンクデータチャネルのＭ個の候補伝送機会を決定するように前記端末に指示するためのものである送信モジュールを含む、ことを特徴とするネットワーク機器。
【請求項１７】
プロセッサと、メモリと、前記メモリに記憶されて前記プロセッサ上で動作可能なコンピュータプログラムとを含み、前記コンピュータプログラムが前記プロセッサによって実行されると、請求項１〜８の何れか一項に記載の決定方法のステップが実現される、ことを特徴とする端末。
【請求項１８】
プロセッサと、メモリと、前記メモリに記憶されて前記プロセッサ上で動作可能なコンピュータプログラムとを含み、前記コンピュータプログラムが前記プロセッサによって実行されると、請求項９〜１４の何れか一項に記載の決定方法のステップが実現される、ことを特徴とするネットワーク機器。
【請求項１９】
コンピュータプログラムを記憶した記憶媒体であって、前記コンピュータプログラムがプロセッサによって実行されると、請求項１〜１４の何れか一項に記載の決定方法のステップが実現される、ことを特徴とするコンピュータ読取可能な記憶媒体。
【発明の詳細な説明】
【技術分野】
【０００１】
（関連出願の相互参照）
本願は、２０１８年０８月０７日に中国国家知財産局に出願され、出願番号が２０１８１０８９３０１１．５、発明名称が「決定方法、端末及びネットワーク機器」である中国特許出願、及び２０１８年０８月０９日に中国国家知財産局に出願され、出願番号が２０１８１０９０４３７１．０、発明名称が「決定方法、端末及びネットワーク機器」である中国特許出願の優先権を主張し、その内容の全ては、参照により本願に組み込まれる。
本願は、通信の技術分野に関し、特に、決定方法、端末及びネットワーク機器に関する。
【背景技術】
【０００２】
将来通信システムにおいて、アンライセンス周波数帯域（ｕｎｌｉｃｅｎｓｅｄ  ｂａｎｄ）は、ライセンス周波数帯域（ｌｉｃｅｎｓｅｄ  ｂａｎｄ）の補充として、事業者によるサービスの拡大を支援することができ、そのうち、アンライセンス周波数帯域は、５ＧＨｚ、３７ＧＨｚ及び６０ＧＨｚの周波数帯域で稼動可能である。
【０００３】
関連技術において、ネットワーク機器によりユーザデバイス（Ｕｓｅｒ  Ｅｑｕｉｐｍｅｎｔ、ＵＥ）に対してセミパーシステントスケジューリングリソースが設定されていれば、ユーザデバイスＵＥは、アンライセンス周波数帯域で上りリンク伝送を行う場合、セミパーシステントスケジューリングリソースを用いてアンライセンス周波数帯域にアクセスすることになり、この際、ユーザデバイスＵＥは、セミパーシステントスケジューリングの伝送機会（即ち、上りリンクチャネルの伝送時刻及び時間領域リソース）が到来する前に、アンライセンス周波数帯域チャネルを傍受する必要がある。傍受結果がビジーであれば、ユーザデバイスＵＥは、次のセミパーシステントスケジューリングの伝送機会を待機し、伝送前にアンライセンス周波数帯域チャネルを傍受する必要があり、傍受結果がアイドルであれば、ユーザデバイスＵＥは、直ちにセミパーシステントスケジューリングの伝送機会で上りリンク伝送を行うことが可能である。
【０００４】
しかしながら、関連技術では、ユーザデバイスＵＥにとって、１つのセミパーシステントスケジューリング周期内にセミパーシステントスケジューリングの伝送機会が１つしかないため、傍受結果がビジーの場合、ユーザデバイスＵＥは、現在のセミパーシステントスケジューリング周期内に上りリンク伝送を行うことができず、これにより、上りリンク伝送の遅延が増加されてしまう。
【発明の概要】
【発明が解決しようとする課題】
【０００５】
本発明の実施例は、関連技術におけるユーザデバイスＵＥがアンライセンス周波数帯域でセミパーシステントスケジューリングを用いて上りリンク伝送を行う場合の上りリンク伝送の遅延の問題を解決するための決定方法、端末及びネットワーク機器を提供する。
【課題を解決するための手段】
【０００６】
上記課題を解決するために、本願は、次のように実現される。
【０００７】
第一局面において、本発明の実施例は、端末に適用される決定方法であって、
ネットワーク機器から第一情報を受信するステップであって、前記第一情報は、第一周期内の上りリンクデータチャネルのＭ個の候補伝送機会を指示するためのものであり、前記第一周期は、アンライセンス周波数帯域でのセミパーシステントスケジューリングリソースの一周期であり、Ｍは、２以上の正整数であるステップと、
前記第一情報に基づいて、前記第一周期内の上りリンクデータチャネルのＭ個の候補伝送機会を決定するステップとを含む、決定方法を提供している。
【０００８】
第二局面において、本発明の実施例は、ネットワーク機器に適用される決定方法であって、
第一情報を端末に送信するステップであって、前記第一情報は、第一周期内の上りリンクデータチャネルのＭ個の候補伝送機会を指示するためのものであり、Ｍは、２以上の正整数であり、前記第一周期は、アンライセンス周波数帯域でのセミパーシステントスケジューリングリソースの一周期であり、前記第一情報は、前記第一情報に基づいて、前記第一周期内の上りリンクデータチャネルのＭ個の候補伝送機会を決定するように前記端末に指示するためのものであるステップを含む、決定方法を提供している。
【０００９】
第三局面において、本発明の実施例は、
ネットワーク機器から第一情報を受信するための受信モジュールであって、前記第一情報は、第一周期内の上りリンクデータチャネルのＭ個の候補伝送機会を指示するためのものであり、前記第一周期は、アンライセンス周波数帯域でのセミパーシステントスケジューリングリソースの一周期であり、Ｍは、２以上の正整数である受信モジュールと、
前記受信モジュールにより受信された前記第一情報に基づいて、前記第一周期内の上りリンクデータチャネルのＭ個の候補伝送機会を決定するための決定モジュールとを含む、端末を提供している。
【００１０】
第四局面において、本発明の実施例は、
第一情報を端末に送信するための送信モジュールであって、前記第一情報は、第一周期内の上りリンクデータチャネルのＭ個の候補伝送機会を指示するためのものであり、Ｍは、２以上の正整数であり、前記第一周期は、アンライセンス周波数帯域でのセミパーシステントスケジューリングリソースの一周期であり、前記第一情報は、前記第一情報に基づいて、前記第一周期内の上りリンクデータチャネルのＭ個の候補伝送機会を決定するように前記端末に指示するためのものである送信モジュールを含む、ネットワーク機器を提供している。
【００１１】
第五局面において、本発明の実施例は、プロセッサと、メモリと、前記メモリに記憶されて前記プロセッサ上で動作可能なコンピュータプログラムとを含み、前記コンピュータプログラムが前記プロセッサによって実行されると、第一局面に記載の決定方法のステップが実現される、端末を提供している。
【００１２】
第六局面において、本発明の実施例は、プロセッサと、メモリと、前記メモリに記憶されて前記プロセッサ上で動作可能なコンピュータプログラムとを含み、前記コンピュータプログラムが前記プロセッサによって実行されると、第二局面に記載の決定方法のステップが実現される、ネットワーク機器を提供している。
【００１３】
第七局面において、本発明の実施例は、コンピュータプログラムを記憶した記憶媒体であって、前記コンピュータプログラムがプロセッサによって実行されると、上記の決定方法のステップが実現される、コンピュータ読取可能な記憶媒体を提供している。
【発明の効果】
【００１４】
本発明の実施例において、端末は、ネットワーク機器から送信された第一情報を受信した後、直接に当該第一情報に基づいて、アンライセンス周波数帯域でのセミパーシステントスケジューリングリソースの一周期内の上りリンクデータチャネルの複数個の候補伝送機会を決定することができる。関連技術において、セミパーシステントスケジューリングリソースの一周期内に候補伝送機会が１つしかないのに対して、本発明の実施例において、端末は、上りリンク伝送を行うための伝送機会を一周期内に複数有することができるため、上りリンク伝送の遅延の発生確率を低減でき、通信効率及び効果を向上させることができる。
【図面の簡単な説明】
【００１５】
【図１】本発明の実施例に係る通信システムの構造模式図である。
【図２】本発明の実施例による決定方法のフロー模式図その一である。
【図３】本発明の実施例による周期Ｐ内の候補伝送機会の模式図その一である。
【図４】本発明の実施例による周期Ｐ内の候補伝送機会の模式図その二である。
【図５】本発明の実施例による周期Ｐ内の候補伝送機会の模式図その三である。
【図６】本発明の実施例による決定方法のフロー模式図その二である。
【図７】本発明の実施例による端末の構造模式図その一である。
【図８】本発明の実施例によるネットワーク機器の構造模式図その一である。
【図９】本発明の実施例による端末の構造模式図その二である。
【図１０】本発明の実施例によるネットワーク機器の構造模式図その二である。
【発明を実施するための形態】
【００１６】
以下、本発明の実施例における図面を参照しながら、本発明の実施例における技術案を明確且つ完全に説明するが、明らかに、説明される実施例は本発明の一部の実施例であり、すべての実施例ではない。本発明における実施例に基づいて、当業者によって創造的な労働を払わずに得られた他の実施例は、全て本発明の保護範囲に含まれるものとする。
【００１７】
本願による技術案は、例えば５Ｇ通信システム、将来進化システム又は多種通信融合システム等の様々な通信システムに適用可能である。複数の応用シーン、例えばマシンツーマシン（Ｍａｃｈｉｎｅ  ｔｏ  Ｍａｃｈｉｎｅ、Ｍ２Ｍ）、Ｄ２Ｍ、マクロマイクロ通信、改善されたモバイルインターネット（ｅｎｈａｎｃｅ  Ｍｏｂｉｌｅ  Ｂｒｏａｄｂａｎｄ、ｅＭＢＢ）、超高信頼性及び低待機時間通信（ｕｌｔｒａ  Ｒｅｌｉａｂｌｅ  ＆  Ｌｏｗ  Ｌａｔｅｎｃｙ  Ｃｏｍｍｕｎｉｃａｔｉｏｎ、ｕＲＬＬＣ）及び大容量マシンタイプ通信（Ｍａｓｓｉｖｅ  Ｍａｃｈｉｎｅ  Ｔｙｐｅ  Ｃｏｍｍｕｎｉｃａｔｉｏｎ、ｍＭＴＣ）等のシートが含まれ得る。かかるシーンには、端末と端末間の通信、又はネットワーク機器とネットワーク機器間の通信、又はネットワーク機器と端末間の通信等のシーンが含まれるが、これらに限定されない。本発明の実施例は、５Ｇ通信システムにおけるネットワーク機器と端末間の通信、又は端末と端末間の通信、又はネットワーク機器とネットワーク機器間の通信に適用可能である。
【００１８】
図１は、本発明の実施例に係る通信システムの可能な構造模式図を示している。図１に示すように、当該通信システムは、少なくとも１つのネットワーク機器１００（図１には、１つのみが示される）と、各々のネットワーク機器１００に接続された１つ又は複数の端末２００とを含む。
【００１９】
そのうち、上記のネットワーク機器１００は、基地局、コアネットワーク機器、送受信ノード（Ｔｒａｎｓｍｉｓｓｉｏｎ  ａｎｄ  Ｒｅｃｅｐｔｉｏｎ  Ｐｏｉｎｔ、ＴＲＰ）、中継局又はアクセスポイント等であってもよい。ネットワーク機器１００は、グローバルシステムオブモバイルコミュニケーション（Ｇｌｏｂａｌ  Ｓｙｓｔｅｍ  ｆｏｒ  Ｍｏｂｉｌｅ  ｃｏｍｍｕｎｉｃａｔｉｏｎ、ＧＳＭ）又は符号分割多元接続（Ｃｏｄｅ  Ｄｉｖｉｓｉｏｎ  Ｍｕｌｔｉｐｌｅ  Ａｃｃｅｓｓ、ＣＤＭＡ）ネットワークにおけるベーストランシーバーステーション（Ｂａｓｅ  Ｔｒａｎｓｃｅｉｖｅｒ  Ｓｔａｔｉｏｎ、ＢＴＳ）であってもよいし、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）におけるＮＢ（ＮｏｄｅＢ）であってもよく、ＬＴＥにおけるｅＮＢ又はｅＮｏｄｅＢ（ｅｖｏｌｕｔｉｏｎａｌ  ＮｏｄｅＢ）であってもよい。また、ネットワーク機器１００は、クラウド無線アクセスネットワーク（Ｃｌｏｕｄ  Ｒａｄｉｏ  Ａｃｃｅｓｓ  Ｎｅｔｗｏｒｋ、ＣＲＡＮ）シーンにおける無線コントローラであってもよい。更に、ネットワーク機器１００は、５Ｇ通信システムにおけるネットワーク機器又は将来進化ネットワークにおけるネットワーク機器であってもよい。なお、用語は、本願に対する制限を構成するものではない。
【００２０】
端末２００は、無線端末であってもよく、有線端末であってもよい。当該無線端末は、ユーザに音声及び／又は他のサービスデータの接続性を提供する装置であってもよく、無線通信機能を有するハンドヘルド装置、演算装置、又は無線モデムに接続された他の処理装置、車載装置、ウェアラブル装置、将来の５Ｇネットワークにおける端末又は将来の進化型ＰＬＭＮネットワークにおける端末などであってもよい。無線端末は、無線アクセスネットワーク（Ｒａｄｉｏ  Ａｃｃｅｓｓ  Ｎｅｔｗｏｒｋ、ＲＡＮ）を介して１つ又は複数のコアネットワークに通信してもよく、移動端末、例えば、移動電話（又は「セルラホン」電話と呼ばれる）、移動端末を備えたコンピュータ、例えば、無線アクセスネットワークとの間で言語及び／又はデータを交換する、携帯型、ポケットサイズ、ハンドヘルド、コンピュータの内蔵型又は車載の移動装置、及びパーソナル通信サービス（Ｐｅｒｓｏｎａｌ  Ｃｏｍｍｕｎｉｃａｔｉｏｎ  Ｓｅｒｖｉｃｅ、ＰＣＳ）電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）レシーバー、無線ローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）などの装置であってもよく、さらに移動装置、ユーザ端末（Ｕｓｅｒ  Ｅｑｕｉｐｍｅｎｔ、ＵＥ）、ユーザデバイスＵＥ端末、アクセス端末、無線通信装置、端末ユニット、端末局、移動局（Ｍｏｂｉｌｅ  Ｓｔａｔｉｏｎ）、モバイル（Ｍｏｂｉｌｅ）、リモート局（Ｒｅｍｏｔｅ  Ｓｔａｔｉｏｎ）、遠方局、リモート端末（Ｒｅｍｏｔｅ  Ｔｅｒｍｉｎａｌ）、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、ユーザエージェント（Ｕｓｅｒ  Ａｇｅｎｔ）、端末装置などであってもよい。１例として、本発明の実施例では、図１は、端末は携帯電話である場合を例示している。
【００２１】
本明細書において、用語「及び／又は」とは、関連対象の相関関係を表現するものに過ぎず、３つの関係があり得ることを示す。例えば、Ａ及び／又はＢとは、Ａのみが存在する、Ａ及びＢの両方が存在する、及び、Ｂのみが存在するという３つのケースを示し得る。また、本明細書において、記号「／」は、一般的に、その前後にある関連対象間の「又は」の関係を示すものであるが、数式において、記号「／」は、その前後にある関連対象間の「除算」の関係を示すものとなる。別途に明記されない限り、本明細書において、「複数」は、２つ又はそれ以上を意味する。
【００２２】
本発明の実施例の技術案を明確に説明し易くするために、本発明の実施例において、「第一」や「第二」といった言葉を用いて、略同じ機能又は役割を持つ同等アイテム又は類似アイテムを区別するが、当業者であれば理解できるように、「第一」や「第二」等の言葉は、数量及び実行順番を制限するものではない。
【００２３】
なお、本発明の実施例において、「例示的」や「例えば」などの用語は、例として例証または説明するためのものである。本発明の実施例において、「例示的」または「例えば」などの用語で記載されるあらゆる実施例または設計案は、他の実施例や設計案に比較してより好適であったり、より利点を有すると解釈されてはならない。適切に言えば、具体的な形態で関連概念を示すために、「例示的」または「例えば」などの用語が使用されている。
【００２４】
図２は、本発明の実施例による決定方法のフロー模式図を示しており、図２に示すように、当該決定方法は、以下のステップ２０１〜ステップ２０２を含んでもよい。
【００２５】
ステップ２０１：ネットワーク機器は、第一情報を端末に送信する。
【００２６】
それに応じて、相手端末は、ネットワーク機器から第一情報を受信する。
【００２７】
本発明の実施例におけるネットワーク機器は、図１に示す通信システム内のネットワーク機器、例えば基地局であってもよく、本発明の実施例における端末は、図１に示す通信システム内の端末であってもよい。
【００２８】
本発明の実施例において、上記の第一情報は、第一周期内の上りリンクデータチャネルのＭ個の候補伝送機会を指示するためのものであり、上記の第一周期は、アンライセンス周波数帯域でのセミパーシステントスケジューリングリソースの一周期であり、Ｍは、２以上の正整数である。上記の第一情報は、端末に、当該第一情報に基づいて、第一周期内の上りリンクデータチャネルのＭ個の候補伝送機会を決定するように指示するためのものである。なお、本発明の実施例における上りリンクデータチャネルの候補伝送機会とは、当該上りリンクデータチャネルの伝送期間となる。
【００２９】
例示的に、上記の上りリンクデータチャネルは、物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）であってもよい。
【００３０】
本発明の実施例において、上記の第一情報は、ネットワーク機器から端末に送信される設定情報であってもよく、当該設定情報は、セミパーシステントスケジューリングリソースを設定するためのものである。
【００３１】
選択的に、本発明の実施例において、上記の第一情報は、当該第一周期内の各候補伝送機会の第一時間位置又は当該第一周期内の１個目の候補伝送機会の第一時間位置、上記のＭ個の候補伝送機会に対応する時間ウィンドウ長（即ち、上記のＭ個の候補伝送機会は、当該時間ウィンドウ長に対応する期間内に分布される）及び時間領域リソース長セットのうち、少なくとも１つを指示するためのものであり、上記の１個目の候補伝送機会は、当該第一周期内のＭ個の候補伝送機会のうち、時間領域での１個目の候補伝送機会であり、上記の時間領域リソース長セットは、各候補伝送機会の時間領域リソース長を指示するための少なくとも１つの時間領域リソース長を含む。
【００３２】
そのうち、上記のＭ個の候補伝送機会に対応する時間ウィンドウ長は、当該第一周期内の全ての候補伝送機会の合計時間ウィンドウ長を表すものであり、上記の時間ウィンドウ長には、上記のＭ個の候補伝送機会が含まれる。図３に示すように、図３における周期Ｐ内には、４個の候補伝送機会（即ち、図３における候補伝送機会１、２、３、４）が設定されており、端末は、時間ウィンドウ長に基づいて、周期Ｐ内の各候補伝送機会を決定することが可能である。
【００３３】
なお、上記の時間ウィンドウ長は、第一周期の時間長さ以下である。なお、上記の第一情報によって時間ウィンドウ長が直接に指示されていない場合、端末は、デフォルトで、第一周期の時間長さを当該時間ウィンドウ長としてもよい。
【００３４】
一例において、上記の第一情報が１つの時間ウィンドウ長Ｔを指示するためのものである場合、端末は、当該時間ウィンドウ長に基づいて、当該時間ウィンドウ長内の候補伝送機会の数量Ｍ及び各候補伝送機会を決定することが可能である。
【００３５】
一例において、上記の第一情報は、第一周期の時間長さ、当該第一周期内の各候補伝送機会の第一時間位置又は当該第一周期内の１個目の候補伝送機会の第一時間位置、上記の時間ウィンドウ長及び時間領域リソース長セットのうち、少なくとも１つを含む。
【００３６】
一例において、上記の第一情報は第一識別子であり、当該第一識別子は、情報テーブル内の１個又は複数個の候補伝送機会の開始位置及び時間領域リソース長、又は、１個又は複数個の候補伝送機会の開始位置及び終了位置、又は、１個又は複数個の候補伝送機会の終了位置及び時間領域リソース長を指示するためのものであり、上記の情報テーブルには、少なくとも１つの候補伝送機会の開始位置及び時間領域リソース長が含まれている。例示的に、上記の情報テーブルは、予め定義されたものであってもよいし、ネットワーク機器により端末用に設定されたものであってもよい。
【００３７】
例示的に、上記の候補伝送機会の開始位置又は終了位置は、参照点に対するオフセットであってもよく、オフセット及び時間領域リソース長は、サブフレーム又はタイムスロット又は直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルを粒度としている。なお、上記の参照点は、タイムスロット又はサブフレームの境界であってもよい。
【００３８】
例示的に、上記の時間領域リソース長セットについては、主に以下の３つのケースが含まれる。
【００３９】
ケース１：上記の時間領域リソース長セット内の時間領域リソース長の個数が１であれば、上記のＭ個の候補伝送機会が同じ時間領域リソース長を持っていることを示す。
【００４０】
ケース２：上記の時間領域リソース長セット内の時間領域リソース長の個数がＭであれば、該時間領域リソース長セットに上記のＭ個の候補伝送機会の各々の時間領域リソース長が含まれていることを示す。留意されたいのは、上記のＭ個の時間領域リソース長の各々は、１個の候補伝送機会に対応しており、且つこれらＭ個の時間領域リソース長が同じであってもよいし、異なってもよく、部分的に同じであってもよいが、本発明は、これについて限定しない。
【００４１】
ケース３：上記の時間領域リソース長セット内の時間領域リソース長の個数がＮであり、且つＮが１よりも大きくＭ未満の値であれば、上記のＭ個の候補伝送機会のうち、一部の候補伝送機会が同じ時間領域リソース長を持っていることを示すか、又は、各々の候補伝送機会がＮ個の時間領域リソース長を持つ可能性があることを示す。
【００４２】
更に選択的に、本発明の実施例において、上記のＭ個の候補伝送機会は、時間領域において、連続的であるか、又は等間隔である。
【００４３】
更に選択的に、本発明の実施例において、上記のＭ個の候補伝送機会は、上りリンクタイムスロット／サブフレーム／シンボルに位置する。
ＴＤＤシステムにおいて、タイムスロット／サブフレーム／シンボルのフォーマットは、下りリンク（ＤＬ）、上りリンク（ＵＬ）及びフレキシブル（Ｆｌｅｘｉｂｌｅ）に分けられており、タイムスロット／サブフレーム／シンボルのフォーマットがＦｌｅｘｉｂｌｅの場合、ネットワーク機器により、タイムスロット／サブフレーム／シンボルの方向をＤＬ又はＵＬとして設定又は指示可能であるが、指示がない場合、当該タイムスロット／サブフレーム／シンボルは、Ｆｌｅｘｉｂｌｅのフォーマットのままとされる。
【００４４】
１つの可能な実現方式として、Ｍ個の候補伝送機会は、全てＵＬタイムスロット／サブフレーム／シンボル上に位置し、即ち、端末は、候補伝送機会を決定する際、ＤＬタイムスロット／サブフレーム／シンボル、及びＦｌｅｘｉｂｌｅタイムスロット／サブフレーム／シンボルを除外する。
【００４５】
１つの可能な実現方式として、Ｍ個の候補伝送機会は、ＵＬタイムスロット／サブフレーム／シンボル又はＦｌｅｘｉｂｌｅタイムスロット／サブフレーム／シンボル上に位置し、即ち、ユーザデバイスＵＥは、候補伝送機会を決定する際、ＤＬタイムスロット／サブフレーム／シンボルを除外する。
【００４６】
１つの可能な実現方式として、端末は、候補伝送機会を決定する際、時間順でＭ個の候補伝送機会を決定し、即ち、ＤＬタイムスロット／サブフレーム／シンボル又はＦｌｅｘｉｂｌｅタイムスロット／サブフレーム／シンボルを除外せず、Ｍ個の候補伝送機会のうち、いずれか１個の候補伝送機会の全部又は一部の時間領域リソースがＤＬであれば、端末は、当該候補伝送機会を放棄する必要があり、このとき、一周期内の候補伝送機会は、Ｍ未満となる可能性がある。
【００４７】
１つの可能な実現方式として、端末は、候補伝送機会を決定する際、時間順でＭ個の候補伝送機会を決定し、即ち、ＤＬタイムスロット／サブフレーム／シンボル又はＦｌｅｘｉｂｌｅタイムスロット／サブフレーム／シンボルを除外せず、Ｍ個の候補伝送機会のうち、何れか１個の候補伝送機会の全部又は一部の時間領域リソースがＤＬ又はＦｌｅｘｉｂｌｅであれば、端末は、当該候補伝送機会を放棄する必要があり、このとき、一周期内の候補伝送機会は、Ｍ未満となる可能性がある。
【００４８】
本発明の実施例において、上記の数値Ｍは、ネットワーク機器により直接に設定されたものであってもよいし、当該第一情報に基づいて端末により算出されたものであってもよい。
【００４９】
上記の数値Ｍが、当該第一情報に基づいて端末により算出されたものであるシーンについて、具体的に、以下の２つの例を掲示して説明する。
【００５０】
例１：周期Ｐ内のｎ個目の候補伝送機会の開始位置が、ｎ−１個目の候補伝送機会の終了位置の後にあるＫ個目の直交周波数分割多重ＯＦＤＭシンボルに位置し、即ち、隣接する２つの候補伝送機会間の時間領域間隔がＫ−１であり、且つ周期Ｐ内の各々の候補伝送機会の時間領域リソース長がＬ個の直交周波数分割多重ＯＦＤＭシンボルであり、１個目の候補伝送機会の開始位置が当該周期の時間長さにおけるＳ個目の直交周波数分割多重ＯＦＤＭシンボルであると仮定すると、周期Ｐ内の候補伝送機会の個数Ｍは、Ｍ＝ｆｌｏｏｒ（（Ｐ−Ｓ−１）／（Ｌ＋Ｋ−１））という式で計算可能であり、ここで、Ｓ≧１、Ｋ≧０である。
【００５１】
例２：周期Ｐ内のｎ個目の候補伝送機会の開始位置が、ｎ−１個目の候補伝送機会の終了位置の後にあるＫ個目の直交周波数分割多重ＯＦＤＭシンボルに位置し、即ち、隣接する２つの候補伝送機会間の時間領域間隔がＫ−１であり、周期Ｐ内の各々の候補伝送機会の時間領域リソース長がＬ個の直交周波数分割多重ＯＦＤＭシンボルであるとともに、当該周期Ｐ内の全ての候補伝送機会の時間ウィンドウ長がＴであると仮定すると、周期Ｐ内の候補伝送機会の個数Ｍは、Ｍ＝ｆｌｏｏｒ（（Ｔ）／（Ｌ＋Ｋ−１））という式で計算可能であり、ここで、Ｓ≧１、Ｋ≧０である。
【００５２】
ステップ２０２：端末は、第一情報に基づいて、第一周期内の上りリンクデータチャネルのＭ個の候補伝送機会を決定する。
【００５３】
選択的に、本発明の実施例において、上記のステップ２０２は、具体的に、以下のステップ２０２ａ又はステップ２０２ｂを包含する。
【００５４】
ステップ２０２ａ：第一情報が各候補伝送機会の第一時間位置を指示するためのものである場合、端末は、各候補伝送機会の第一時間位置及び対応する時間領域リソース長に基づいて、各候補伝送機会を決定する。
【００５５】
本発明の実施例において、上記のＭ個の候補伝送機会が時間領域において連続的であれば、端末は、直接に各候補伝送機会の第一時間位置及び対応する時間領域リソース長に基づいて、各候補伝送機会を決定することが可能であり、上記のＭ個の候補伝送機会が時間領域において間隔を空けていれば、端末は、各候補伝送機会の第一時間位置及び対応する時間領域リソース長と当該間隔長さに基づいて、各候補伝送機会を決定する必要がある。
【００５６】
ステップ２０２ｂ：第一情報が１個目の候補伝送機会の第一時間位置を指示するためのものである場合、１個目の候補伝送機会の第一時間位置及び対応する時間領域リソース長に基づいて、各候補伝送機会を決定する。
【００５７】
本発明の実施例において、端末は、第一候補伝送機会の第一時間位置及び各候補伝送機会の時間領域リソース長に基づいて、Ｍ個の候補伝送機会のうち、第一候補伝送機会以外の他の候補伝送機会の第一時間位置を決定してから、各候補伝送機会の第一時間位置及び対応する時間領域リソース長に基づいて、各候補伝送機会を決定することが可能である。
【００５８】
本発明の実施例において、上記のＭ個の候補伝送機会が時間領域において連続的であれば、端末は、１個目の候補伝送機会の第一時間位置及び対応する時間領域リソース長に基づいて、各候補伝送機会を決定することが可能であり、上記のＭ個の候補伝送機会が時間領域において間隔を空けていれば、端末は、１個目の候補伝送機会の第一時間位置及び対応する時間領域リソース長と当該間隔長さに基づいて、各候補伝送機会を決定する必要がある。
【００５９】
本発明の実施例において、上記の第一情報が、第一周期の時間長さ、当該第一周期内の各候補伝送機会の第一時間位置又は当該第一周期内の１個目の候補伝送機会の第一時間位置、及び１つの時間領域リソース長を指示するためのものである場合、上記のＭ個の候補伝送機会は、同じ時間領域リソース長を持ち、且つ各候補伝送機会は時間領域において連続的であるか、又は、上記のＭ個の候補伝送機会は、同じ時間領域リソース長を持ち、且つ任意の隣接する２つの候補伝送機会は、時間領域において同じ間隔であり、間隔の大きさはＸ個のタイムスロット又はシンボルであり、Ｘは０よりも大きい正整数である。
【００６０】
本発明の実施例において、上記の第一情報が、第一周期の時間長さ、当該第一周期内の各候補伝送機会の第一時間位置又は当該第一周期内の１個目の候補伝送機会の第一時間位置、及びＮ個の時間領域リソース長（即ち、Ｌ１、Ｌ２、・・・、ＬＮ）を指示するためのものである場合、端末は、上記のＮ個の時間領域リソース長のうちＬ１に基づいて、Ｍ１個の候補伝送機会を決定し、その後、Ｎ個の時間領域リソース長のうちＬ２に基づいて、Ｍ２個の候補伝送機会を決定し、以降は、Ｍ（Ｍ＝Ｍ１＋Ｍ２＋・・・Ｍｊ）個の候補伝送機会が決定されるまで同様にしていく。即ち、Ｎ個の時間領域リソース長のうちＬｊに基づいて、合計Ｍ個の候補伝送機会が端末により決定され、ここで、ｊは１以上Ｎ以下である。
【００６１】
そのうち、上記のＭ１個の候補伝送機会は、時間領域において連続的であり、Ｍ２個の候補伝送機会は、時間領域において連続的であり、上記のＭｊ個の候補伝送機会は、時間領域において連続的である。
【００６２】
又は、上記のＭ１個の候補伝送機会のうち、任意の隣接する２つの候補伝送機会は、時間領域において同じ間隔であり、上記Ｍ２個の候補伝送機会のうち、任意の隣接する２つの候補伝送機会は、時間領域において同じ間隔であり、上記のＭｊ個の候補伝送機会のうち、任意の隣接する２つの候補伝送機会は、時間領域において同じ間隔であり、上記の間隔の大きさは、Ｘ個のタイムスロット又はシンボルであり、Ｘは０よりも大きい正整数である。
【００６３】
図４に示す周期Ｐ内の上りリンクデータチャネルの候補伝送機会の模式図から分かるように、周期Ｐ内のオフセットを用いて、１個目の候補伝送機会の開始位置を指示することが可能であり、ネットワーク機器により端末に周期Ｐ内の１個目の候補伝送機会の開始位置及び１つの時間領域リソース長が設定されている場合、図４に示すように、図４における４個の候補伝送機会は、同じ時間領域リソース長を持ち、端末は、１個目の候補伝送機会の開始位置及び当該時間領域リソース長に基づいて、周期Ｐ内の各候補伝送機会（即ち、図４における候補伝送機会１、２、３、４）を決定することが可能である。
【００６４】
図５に示す周期Ｐの上りリンクデータチャネルの候補伝送機会の模式図から分かるように、周期Ｐ内の２つの時間領域リソース長Ｌ１及びＬ２が端末に設定されている場合、図５の（ａ）に示すように、Ｌ１に基づいて、４個の候補伝送機会（即ち、図５の（ａ）における候補伝送機会１、２、３、４）が端末によって得られ、図５の（ａ）から分かるように、これら４個の候補伝送機会は、同じ時間領域リソース長を持ち、且つ時間領域において連続的であり、図５の（ｂ）に示すように、Ｌ２に基づいて、２個の候補伝送機会（即ち、図５の（ａ）における候補伝送機会５、６）が端末によって得られ、図５の（ｂ）から分かるように、これら２個の候補伝送機会は、同じ時間領域リソース長を持ち、且つ時間領域において連続的である。このとき、当該周期Ｐ内の候補伝送機会は６個であり、即ち、上記の候補伝送機会１〜６となる。
【００６５】
選択的に、本発明の実施例において、図６に示すように、ステップ２０２の後に、又は端末によるステップ２０２の実行中に、当該方法は、ステップ２０３を更に包含する。
【００６６】
ステップ２０３：端末は、第一候補伝送機会で上りリンクデータチャネルを送信する。
【００６７】
それに応じて、ネットワーク機器は、端末から第一候補伝送機会で送信された上りリンクデータチャネルを受信する。
【００６８】
本発明の実施例において、第一候補伝送機会の前に、端末によるセミパーシステントスケジューリングリソースの傍受は、その傍受結果がアイドルであり、上記の第一候補伝送機会は、上記のＭ個の候補伝送機会のうち、少なくとも１つの候補伝送機会であり、即ち、端末は、一周期内の１個又は複数個の候補伝送機会で上りリンクデータチャネルを送信することが可能であり、上記の上りリンクデータチャネルには、上りリンク制御情報（Ｕｐｌｉｎｋ  Ｃｏｎｔｒｏｌ  Ｉｎｆｏｒｍａｔｉｏｎ、ＵＣＩ）が搬送されている。そのうち、上記の上りリンク制御情報ＵＣＩは、上記の上りリンクデータチャネルの開始時刻及び／又は終了時刻を指示するためのものである。
【００６９】
なお、端末が一周期内の複数個の候補伝送機会で上りリンクデータチャネルを送信する場合、各々の候補伝送機会は、１つの上りリンクデータチャネルを送信し、且つ毎回送信される上りリンクデータチャネルには、いずれも上りリンク制御情報ＵＣＩが含まれることになる。
【００７０】
本発明の実施例において、端末は、ステップ２０３を実行する前に、傍受回避メカニズム（Ｌｉｓｔｅｎ  ＢｅｆｏｒｅＴａｌｋ、ＬＢＴ）を実施する。具体的に、端末は、上りリンク伝送を行う前に、傍受回避メカニズムＬＢＴを実施してアンライセンス周波数帯域チャネルを傍受しておく必要があり、傍受結果がアイドルであれば、端末は、直ちに上りリンク伝送を行う必要があり、つまり、アンライセンス周波数帯域チャネルを傍受した傍受結果がアイドルとなった候補伝送機会は、使用可能な候補伝送機会となり、このとき、端末は、これらの使用可能な候補伝送機会から第一候補伝送機会を選択可能である。勿論、傍受結果がビジーの場合、端末は、上りリンク伝送を行うことができず、このとき、端末は、アンライセンス周波数帯域チャネルを傍受し続けて、候補伝送機会が到来する前に傍受結果がアイドルになった場合に限り、上りリンク伝送を行うことができるようになる。
【００７１】
選択的に、本発明の実施例において、上記の上りリンク制御情報ＵＣＩは、当該上りリンクデータチャネルの第一直交周波数分割多重ＯＦＤＭシンボルから始まる直交周波数分割多重ＯＦＤＭシンボル上にマッピングされ、上記の第一直交周波数分割多重ＯＦＤＭシンボルは、復調参照信号ＤＭＲＳを搬送する最初の連続直交周波数分割多重ＯＦＤＭシンボル集合の後にあるＸ個目の直交周波数分割多重ＯＦＤＭシンボルであるか、又は、復調参照信号ＤＭＲＳの最初の連続直交周波数分割多重ＯＦＤＭシンボル集合の前にあるＺ個目の直交周波数分割多重ＯＦＤＭシンボルであり、Ｘ、Ｚは、１以上の正整数である。留意されたいのは、Ｘ、Ｚは、予め定義されたものであるか、又はネットワーク機器により端末に設定されたものであり、ＸとＺとは、同じであってもよいし、異なってもよい。
【００７２】
本発明の実施例において、端末は、周波数領域優先又は時間領域優先という方式で、上りリンク制御情報ＵＣＩを該当する時間−周波数リソース上にマッピングしてもよい。具体的に、以下のマッピング方式であってもよいが、これらに限定されない。
【００７３】
方式１：上記の上りリンクデータチャネルに付加（Ａｄｄｉｔｉｏｎａｌ）復調参照信号ＤＭＲＳが含まれる場合、上りリンク制御情報ＵＣＩは、上記の上りリンクデータチャネルにおける前方設定される（Ｆｒｏｎｔ−ｌｏａｄｅｄ）復調参照信号ＤＭＲＳの後にある直交周波数分割多重ＯＦＤＭシンボルからマッピングを開始する。
【００７４】
方式２：端末が上りリンクデータチャネルに対して周波数ホッピングを行うように設定されている場合、端末は、周波数ホッピング回数に基づいて上りリンク制御情報ＵＣＩをセグメント分けし、その後、当該上りリンクデータチャネルのホッピング毎に、当該上りリンクデータチャネルは、一つの上りリンク制御情報ＵＣＩセグメントを搬送する。
【００７５】
例示的に、上記のステップ２０３は、具体的に、以下のステップ２０３ａを包含する。
【００７６】
ステップ２０３ａ：端末は、当該上りリンクデータチャネルに対して周波数ホッピングを行う。
そのうち、上記上りリンクデータチャネルのホッピング毎に一つの上りリンク制御情報ＵＣＩセグメントが搬送され、且つホッピング毎に搬送される上りリンク制御情報ＵＣＩセグメントが異なり、上記の上りリンク制御情報ＵＣＩは、Ｎ＋１の上りリンク制御情報ＵＣＩセグメントからなり、Ｎは、周波数ホッピング回数であり、Ｎは、１以上の正整数である。
【００７７】
例示的に、ネットワーク機器によって、端末が周波数ホッピングを有効にするように設定又は指示された場合、端末は、上りリンクデータチャネルの周波数ホッピングを行う。
【００７８】
例示的に、ホッピング毎に当該上りリンクデータチャネルで搬送される上りリンク制御情報ＵＣＩセグメントは、周波数領域優先又は時間領域優先という方式で、復調参照信号ＤＭＲＳを搬送する当該最初の連続直交周波数分割多重ＯＦＤＭシンボル集合の後にあるＹ個目のシンボルの後の直交周波数分割多重ＯＦＤＭシンボル上にマッピングされる。そのうち、上記のＹは、予め定義されたものであるか、又はネットワーク機器により端末用に設定されたものであり、上記のＹは、Ｘと同じであってもよいし、異なってもよい。
【００７９】
本発明の実施例に係る決定方法によれば、端末は、ネットワーク機器から送信された第一情報を受信した後、直接に当該第一情報に基づいて、アンライセンス周波数帯域でのセミパーシステントスケジューリングリソースの一周期内の上りリンクデータチャネルの複数個の候補伝送機会を決定することができる。関連技術において、セミパーシステントスケジューリングリソースの一周期内に候補伝送機会が１つしかないのに対して、本発明の実施例において、端末は、上りリンク伝送を行うための伝送機会を一周期内に複数有することができるため、上りリンク伝送の遅延の発生確率が低減され、通信効率及び効果が向上される。
【００８０】
図７に示すように、本発明の実施例は、端末３００を提供しており、当該端末３００は、
ネットワーク機器から送信された第一情報を受信するための受信モジュールであって、上記の第一情報は、第一周期内の上りリンクデータチャネルのＭ個の候補伝送機会を指示するためのものであり、上記の第一周期は、アンライセンス周波数帯域でのセミパーシステントスケジューリングリソースの一周期であり、Ｍは、２以上の正整数である受信モジュール３０１と、
受信モジュール３０１により受信された第一情報に基づいて、当該第一周期内の上りリンクデータチャネルのＭ個の候補伝送機会を決定するための決定モジュール３０２とを含む。
【００８１】
選択的に、上記の第一情報は、具体的に、当該第一周期内の各候補伝送機会の第一時間位置又は当該第一周期内の１個目の候補伝送機会の第一時間位置、上記のＭ個の候補伝送機会に対応する時間ウィンドウ長及び時間領域リソース長セットのうち、少なくとも１つを指示するためのものであり、上記の第一時間位置は、開始位置及び終了位置のうちの少なくとも１つを含み、上記の時間領域リソース長セットは、各候補伝送機会の時間領域リソース長を指示するための少なくとも１つの時間領域リソース長を含む。
【００８２】
選択的に、上記のＭ個の候補伝送機会は、時間領域において、連続的であるか、又は等間隔である。
【００８３】
選択的に、上記のＭ個の候補伝送機会は、上りリンクタイムスロット／サブフレーム／シンボルに位置する。
【００８４】
選択的に、上記の決定モジュール３０２は、具体的に、受信モジュール３０１により受信された第一情報が上記各候補伝送機会の第一時間位置を指示するためのものである場合、各候補伝送機会の第一時間位置及び対応する時間領域リソース長に基づいて、各候補伝送機会を決定するために用いられるか、又は、受信モジュール３０１により受信された第一情報が上記１個目の候補伝送機会の第一時間位置を指示するためのものである場合、１個目の候補伝送機会の第一時間位置及び対応する時間領域リソース長に基づいて、各候補伝送機会を決定するために用いられる。
【００８５】
選択的に、図７に示すように、当該端末３００は、
第一候補伝送機会で上りリンクデータチャネルを送信するための送信モジュールであって、第一候補伝送機会の前に、端末３００によるセミパーシステントスケジューリングリソースの傍受は、その傍受結果がアイドルであり、上記の第一候補伝送機会は、Ｍ個の候補伝送機会のうち、少なくとも１つの候補伝送機会であり、上記の上りリンクデータチャネルには、上りリンク制御情報ＵＣＩが搬送されている送信モジュール３０３を更に含む。
【００８６】
選択的に、上記の上りリンク制御情報ＵＣＩは、上りリンクデータチャネルの第一直交周波数分割多重ＯＦＤＭシンボルから始まる直交周波数分割多重ＯＦＤＭシンボル上にマッピングされ、上記の第一直交周波数分割多重ＯＦＤＭシンボルは、復調参照信号ＤＭＲＳを搬送する最初の連続直交周波数分割多重ＯＦＤＭシンボル集合の後にあるＸ個目の直交周波数分割多重ＯＦＤＭシンボルであるか、又は、当該最初の連続直交周波数分割多重ＯＦＤＭシンボル集合の前にあるＺ個目の直交周波数分割多重ＯＦＤＭシンボルであり、Ｘ、Ｚは、予め定義されたものであるか、又はネットワーク機器により端末用に設定されたものであり、Ｘ、Ｚは、１以上の正整数である。
【００８７】
選択的に、上記の送信モジュール３０３は、具体的に、上りリンクデータチャネルに対して周波数ホッピングを行うために用いられ、上りリンクデータチャネルのホッピング毎に一つの上りリンク制御情報ＵＣＩセグメントが搬送され、上りリンク制御情報ＵＣＩは、Ｎ＋１の上りリンク制御情報ＵＣＩセグメントからなり、Ｎは、周波数ホッピング回数である。
【００８８】
本発明の実施例に係る端末によれば、当該端末は、ネットワーク機器から送信された第一情報を受信した後、直接に当該第一情報に基づいて、アンライセンス周波数帯域でのセミパーシステントスケジューリングリソースの一周期内の上りリンクデータチャネルの複数個の候補伝送機会を決定することができる。関連技術において、セミパーシステントスケジューリングリソースの一周期内に候補伝送機会が１つしかないのに対して、本発明の実施例において、端末は、上りリンク伝送を行うための伝送機会を一周期内に複数有することができるため、上りリンク伝送の遅延の発生確率が低減され、通信効率及び効果が向上される。
【００８９】
本発明の実施例による端末は、上記方法実施例に示された内容を実現できるが、重複を回避するために、ここで繰り返して説明しない。
【００９０】
図８に示すように、本発明の実施例に係るネットワーク機器であるネットワーク機器４００は、
第一情報を端末に送信するための送信モジュールであって、上記の第一情報は、第一周期内の上りリンクデータチャネルのＭ個の候補伝送機会を指示するためのものであり、Ｍは、２以上の正整数であり、上記の第一周期は、アンライセンス周波数帯域でのセミパーシステントスケジューリングリソースの一周期であり、上記の第一情報は、端末に、第一情報に基づいて、第一周期内の上りリンクデータチャネルのＭ個の候補伝送機会を決定するように指示するためのものである送信モジュール４０１を含む。
【００９１】
選択的に、上記の第一情報は、当該第一周期内の各候補伝送機会の第一時間位置又は当該第一周期内の１個目の候補伝送機会の第一時間位置、上記のＭ個の候補伝送機会に対応する時間ウィンドウ長及び時間領域リソース長セットのうち、少なくとも１つを指示するためのものであり、上記の第一時間位置は、開始位置及び終了位置のうち、少なくとも１つを含み、上記の時間領域リソース長セットは、各候補伝送機会の時間領域リソース長を指示するための少なくとも１つの時間領域リソース長を含む。
【００９２】
選択的に、上記のＭ個の候補伝送機会は、時間領域において、連続的であるか、又は等間隔である。
【００９３】
選択的に、上記のＭ個の候補伝送機会は、上りリンクタイムスロット／サブフレーム／シンボルに位置する。
【００９４】
選択的に、図８に示すように、当該ネットワーク機器４００は、
端末から第一候補伝送機会で送信された上りリンクデータチャネルを受信するための受信モジュールであって、第一候補伝送機会の前に、端末によるセミパーシステントスケジューリングリソースの傍受は、その傍受結果がアイドルであり、上記の第一候補伝送機会は、Ｍ個の候補伝送機会のうち、少なくとも１つの候補伝送機会であり、上記の上りリンクデータチャネルには、上りリンク制御情報ＵＣＩが搬送されている受信モジュール４０２を更に含む。
【００９５】
選択的に、上記の上りリンク制御情報ＵＣＩは、上りリンクデータチャネルの第一直交周波数分割多重ＯＦＤＭシンボルから始まる直交周波数分割多重ＯＦＤＭシンボル上にマッピングされ、上記の第一直交周波数分割多重ＯＦＤＭシンボルは、復調参照信号ＤＭＲＳを搬送する最初の連続直交周波数分割多重ＯＦＤＭシンボル集合の後にあるＸ個目の直交周波数分割多重ＯＦＤＭシンボルであるか、又は、当該最初の連続直交周波数分割多重ＯＦＤＭシンボル集合の前にあるＺ個目の直交周波数分割多重ＯＦＤＭシンボルであり、Ｘ、Ｚは、予め定義されたものであるか、又はネットワーク機器により端末用に設定されたものであり、Ｘ、Ｚは、１以上の正整数である。
【００９６】
本発明の実施例に係るネットワーク機器によれば、ネットワーク機器は、第一情報を端末に送信することで、端末は、直接に当該第一情報に基づいて、アンライセンス周波数帯域でのセミパーシステントスケジューリングリソースの一周期内の上りリンクデータチャネルの複数個の候補伝送機会を決定できるようになる。関連技術において、セミパーシステントスケジューリングリソースの一周期内に候補伝送機会が１つしかないのに対して、本発明の実施例において、端末は、上りリンク伝送を行うための伝送機会を一周期内に複数有することができるため、上りリンク伝送の遅延の発生確率が低減され、通信効率及び効果が向上される。
【００９７】
本発明の実施例によるネットワーク機器は、上記方法実施例に示された内容を実現できるが、重複を回避するために、ここで繰り返して説明しない。
【００９８】
図９は、本発明の各実施例に係る端末を実現するハードウェア構造模式図であり、当該端末１００は、無線周波数（Ｒａｄｉｏ  Ｆｒｅｑｕｅｎｃｙ、ＲＦ）ユニット１０１、ネットワークモジュール１０２、オーディオ出力ユニット１０３、入力ユニット１０４、センサ１０５、表示ユニット１０６、ユーザ入力ユニット１０７、インターフェースユニット１０８、メモリ１０９、プロセッサ１１０、及び電源１１１等の部品を含むが、これらに限定されない。当業者であれば理解できるように、図９に示す端末１００の構造は、端末に対する限定を構成するものではなく、端末１００は、図示されるものよりも多いか又は少ない部品を含んでもよいし、いくつかの部品の組み合せ、又は異なる設定の部品を含んでもよい。本発明の実施例において、端末１００には、携帯電話、タブレットＰＣ、ノートＰＣ、パームトップ型ＰＣ、車載端末、ウェアラブル機器、及び歩数計等が含まれるが、これらに限定されない。
【００９９】
そのうち、無線周波数ユニット１０１は、ネットワーク機器から送信された第一情報を受信するためのものであり、上記の第一情報は、第一周期内の上りリンクデータチャネルのＭ個の候補伝送機会を指示するためのものであり、Ｍは、２以上の正整数であり、第一周期は、アンライセンス周波数帯域でのセミパーシステントスケジューリングリソースの一周期であり、プロセッサ１１０は、無線周波数ユニット１０１により受信された第一情報に基づいて、当該第一周期内の上りリンクデータチャネルのＭ個の候補伝送機会を決定するためのものである。
【０１００】
本発明の実施例に係る端末によれば、当該端末は、ネットワーク機器から送信された第一情報を受信した後、直接に当該第一情報に基づいて、アンライセンス周波数帯域でのセミパーシステントスケジューリングリソースの一周期内の上りリンクデータチャネルの複数個の候補伝送機会を決定することができる。関連技術において、セミパーシステントスケジューリングリソースの一周期内に候補伝送機会が１つしかないのに対して、本発明の実施例において、端末は、上りリンク伝送を行うための伝送機会を一周期内に複数有することができるため、上りリンク伝送の遅延の発生確率が低減され、通信効率及び効果が向上される。
【０１０１】
理解されたいのは、本発明の実施例において、無線周波数ユニット１０１は、情報の送受信、又は通話中の信号の受信及び送信に用いられることが可能であり、具体的に、基地局からの下りリンクデータを受信した後に、プロセッサ１１０に処理させ、また、上りリンクデータを基地局に送信する。通常、無線周波数ユニット１０１は、アンテナ、少なくとも１つの増幅器、送受信機、カプラ、低雑音増幅器、デュプレクサ等を含むが、これらに限定されない。加えて、無線周波数ユニット１０１は、無線通信システムを介してネットワーク及び他の機器と通信することが可能である。
【０１０２】
端末１００は、ネットワークモジュール１０２によって、ワイヤレスブロードバンドインターネットアクセスをユーザに提供しており、例えばユーザによる電子メールの送受信、ウェブページの閲覧及びストリーミングメディアへのアクセス等を支援する。
【０１０３】
オーディオ出力ユニット１０３は、無線周波数ユニット１０１又はネットワークモジュール１０２によって受信されたか、又はメモリ１０９に記憶されたオーディオデータをオーディオ信号に変換して音声として出力することが可能である。更に、オーディオ出力ユニット１０３は、端末１００によって実行される特定の機能に関するオーディオ出力（例えば、呼信号受信音、メッセージ受信音等）を提供することも可能である。オーディオ出力ユニット１０３は、スピーカ、ブザー及び受話器等を含む。
【０１０４】
入力ユニット１０４は、オーディオ又はビデオ信号を受信するためのものである。入力ユニット１０４は、グラフィックスユニット（Ｇｒａｐｈｉｃｓ  Ｐｒｏｃｅｓｓｉｎｇ  Ｕｎｉｔ、ＧＰＵ）１０４１、及びマイク１０４２を含んでもよく、グラフィックスプロセッサ１０４１は、ビデオキャプチャモード又は画像キャプチャモードにおいて画像キャプチャ装置（例えば、カメラ）によって取得された静止画又はビデオの画像データを処理するものである。処理された画像フレームは、表示ユニット１０６に表示されることが可能である。グラフィックスプロセッサ１０４１によって処理された画像フレームは、メモリ１０９（又は他の記憶媒体）に記憶されるか、又は無線周波数ユニット１０１又はネットワークモジュール１０２を介して送信されることが可能である。マイク１０４２は、音声を受信可能であるとともに、このような音声をオーディオデータとなるように処理することができる。処理されたオーディオデータは、電話通話モードの場合、無線周波数ユニット１０１を介して移動通信基地局に送信可能なフォーマットに変換して出力されることが可能である。
【０１０５】
端末１００は、例えば光センサ、動きセンサ及び他のセンサなど、少なくとも１つのセンサ１０５を更に含む。具体的に、光センサは、周囲光センサ及び近接センサを含み、そのうち、周囲光センサは、周囲光の明暗に応じて表示パネル１０６１の輝度を調節することができ、近接センサは、端末１００が耳付近に移動された場合、表示パネル１０６１及び／又はバックライトをオフにすることができる。動きセンサの一種として、加速度計センサは、様々な方向（通常は３軸）における加速度の大きさを検出することができ、静止時には、重力の大きさ及び方向を検出でき、端末の姿勢の識別（例えば、横／縦スクリーン切替、関連ゲーム、磁力計の姿勢校正）、振動識別関連機能（例えば、歩数計やタッピング）等に用いられることが可能であり、センサ１０５は、指紋センサ、圧力センサ、虹彩センサ、分子センサ、ジャイロスコープ、気圧計、湿度計、温度計、赤外線センサ等を更に含んでもよいが、ここで繰り返して説明しない。
【０１０６】
表示ユニット１０６は、ユーザにより入力された情報、又はユーザに提供される情報を表示するためのものである。表示ユニット１０６は、表示パネル１０６１を含んでもよく、表示パネル１０６１は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）等の形態で設定されてもよい。
【０１０７】
ユーザ入力ユニット１０７は、入力された数字や文字の情報を受信し、並びに、端末１００のユーザ設定及び機能制御に関するキー信号入力を生成するためのものである。具体的に、ユーザ入力ユニット１０７は、タッチパネル１０７１及び他の入力装置１０７２を含む。タッチパネル１０７１は、タッチスクリーンとも呼ばれており、ユーザがその上又は付近で行ったタッチ操作（例えば、ユーザが指やタッチペン等の任意の適切な物体や付属品を用いて、タッチパネル１０７１上又はタッチパネル１０７１付近で行った操作）を受け付けることができる。タッチパネル１０７１は、タッチ検出装置とタッチコントローラとの２部分を含んでもよい。そのうち、タッチ検出装置は、ユーザのタッチ位置を検出し、タッチ操作に起因した信号を検出して、その信号をタッチコントローラに送るものであり、タッチコントローラは、タッチ検出装置からタッチ情報を受信し、それをタッチポイント座標に変換してから、プロセッサ１１０に送り、プロセッサ１１０から発されたコマンドを受信して実行するものである。なお、タッチパネル１０７１は、抵抗型、容量型、赤外線型及び表面弾性波型等の複数のタイプで実現可能である。ユーザ入力ユニット１０７は、タッチパネル１０７１に加え、他の入力装置１０７２を更に含んでもよい。具体的に、他の入力装置１０７２には、物理キーボード、機能キー（例えば、音量制御キーやオン／オフキー等）、トラックボール、マウス、ジョイスティックが含まれてもよいが、ここで繰り返して説明しない。
【０１０８】
更に、タッチパネル１０７１は、表示パネル１０６１を覆っていてもよく、タッチパネル１０７１は、その上又は付近のタッチ操作を検出すると、タッチイベントのタイプを特定するためにプロセッサ１１０に送り、その後、プロセッサ１１０は、タッチイベントのタイプに基づいて、対応する視覚出力を表示パネル１０６１で提供する。図９において、タッチパネル１０７１と表示パネル１０６１とは、２つの独立した部品として端末１００の入力及び出力機能を実現しているが、いくつかの実施例において、タッチパネル１０７１と表示パネル１０６１とを統合させて端末１００の入力及び出力機能を実現してもよく、ここでは、具体的に限定しない。
【０１０９】
インターフェースユニット１０８は、外部装置と端末１００とを接続するためのインターフェースである。例えば、外部装置には、有線又は無線ヘッドホンポート、外部電源（又はバッテリ充電器）ポート、有線又は無線データポート、メモリカードポート、識別モジュールを持つ装置と接続するためのポート、オーディオ入力／出力（Ｉ／Ｏ）ポート、ビデオＩ／Ｏポート、イヤホンポート等が含まれてもよい。インターフェースユニット１０８は、外部装置からの入力（例えば、データ情報、電力等）を受信するとともに、受信した入力を端末１００内の１つ又は複数の要素に送るために用いられてもよいし、又は、端末１００と外部装置との間のデータ伝送に用いられてもよい。
【０１１０】
メモリ１０９は、ソフトウェアプログラム及び様々なデータの記憶に用いられることが可能である。メモリ１０９は、主にプログラム記憶領域及びデータ記憶領域を含んでもよく、そのうち、プログラム記憶領域は、オペレーティングシステムや、少なくとも１つの機能（例えば、音声再生機能や画像再生機能等）に必要なアプリケーションプログラム等を記憶することができ、データ記憶領域は、携帯電話の使用に応じて作成されたデータ（例えばオーディオデータや電話帳等）を記憶することができる。なお、メモリ１０９は、高速ランダムアクセスメモリを含んでもよいし、更に、例えば少なくとも１つの磁気ディスク記憶デバイス、フラッシュメモリデバイス、又は他の揮発性ソリッドステート記憶デバイスなどの不揮発性メモリを含んでもよい。
【０１１１】
プロセッサ１１０は、端末１００の制御中心であり、様々なインターフェース及び回線を用いて端末１００全体の各部分を接続しており、メモリ１０９に記憶されたソフトウェアプログラム及び／又はモジュールを起動又は実行し、並びに、メモリ１０９に記憶されたデータを呼び出して端末１００の各種機能を実行してデータを処理することにより、端末１００全体の監視制御を行う。プロセッサ１１０は、１つ又は複数の処理ユニットを含んでもよく、選択的に、プロセッサ１１０には、アプリケーションプロセッサ及びモデムプロセッサが統合されてもよく、そのうち、アプリケーションプロセッサは、主にオペレーティングシステム、ユーザインタフェース及びアプリケーションプログラム等を取り扱い、モデムプロセッサは、主に無線通信を取り扱う。理解できるように、上記モデムプロセッサは、プロセッサ１１０に統合されなくてもよい。
【０１１２】
端末１００は、各部品に電力を供給する電源１１１（例えばバッテリ）を更に含んでもよく、選択的に、電源１１１は、電源管理システムによる充放電管理や電力消費管理等の機能が実現されるように、電源管理システムを介してプロセッサ１１０と論理的に接続されてもよい。
【０１１３】
また、端末１００は、いくつかの不図示の機能モジュールを含むが、ここで繰り返して説明しない。
【０１１４】
図１０は、本発明の実施例に係るネットワーク機器を実現するハードウェア構造模式図であり、当該ネットワーク機器８００は、プロセッサ８０１、送受信機８０２、メモリ８０３、ユーザ接口８０４及びバスインターフェースを含む。
【０１１５】
そのうち、送受信機８０２は、第一情報を端末に送信するためのものであり、上記の第一情報は、第一周期内の上りリンクデータチャネルのＭ個の候補伝送機会を指示するためのものであり、Ｍは、２以上の正整数であり、上記の第一周期は、アンライセンス周波数帯域でのセミパーシステントスケジューリングリソースの一周期であり、上記の第一情報は、端末に、前記第一情報に基づいて、当該第一周期内の上りリンクデータチャネルのＭ個の候補伝送機会を決定するように指示するためのものである。
【０１１６】
本発明の実施例に係るネットワーク機器によれば、ネットワーク機器は、第一情報を端末に送信することで、端末は、直接に当該第一情報に基づいて、アンライセンス周波数帯域でのセミパーシステントスケジューリングリソースの一周期内の上りリンクデータチャネルの複数個の候補伝送機会を決定できるようになる。関連技術において、セミパーシステントスケジューリングリソースの一周期内に候補伝送機会が１つしかないのに対して、本発明の実施例において、端末は、上りリンク伝送を行うための伝送機会を一周期内に複数有することができるため、上りリンク伝送の遅延の発生確率が低減され、通信効率及び効果が向上される。
【０１１７】
本発明の実施例では、図１０において、バスアーキテクチャは、任意数の相互接続されたバス及びブリッジを含んでもよく、具体的には、プロセッサ８０１を代表とした１つ又は複数のプロセッサと、メモリ８０３を代表としたメモリとの各種回路が繋げられている。バスアーキテクチャは、周辺機器、電圧レギュレータや電力管理回路等の様々な他の回路を互いに繋げることも可能であるが、これらは、当分野において公知とされているため、本明細書において、さらなる説明をしない。バスインターフェースは、インターフェースを提供するものである。送受信機８０２は、複数の素子、即ち送信機及び受信機を含んでもよく、伝送媒体にて様々な他の装置と通信するための手段を提供するものである。様々なユーザ機器に対して、ユーザインターフェース８０４は、必要なデバイスを外部又は内部で接続可能なインターフェースであってもよく、接続されるデバイスは、小型キーボード、ディスプレイ、スピーカ、マイク、ジョイスティック等を含むが、これらに限定されない。プロセッサ８０１は、バスアーキテクチャ及び一般的な処理の管理を担っており、メモリ８０３は、プロセッサ８０１による実行操作時に用いられるデータを記憶可能である。
【０１１８】
また、ネットワーク機器８００は、いくつかの不図示の機能モジュールを含むが、ここで繰り返して説明しない。
【０１１９】
選択的に、本発明の実施例は、端末を更に提供しており、当該端末は、プロセッサと、メモリと、メモリに記憶されてプロセッサ上で動作可能なコンピュータプログラムとを含み、当該コンピュータプログラムがプロセッサによって実行されると、上記方法実施例に示す決定方法の手順が実現され、同じ技術的効果も達成できるが、重複を回避するために、ここで繰り返して説明しない。
【０１２０】
選択的に、本発明の実施例は、ネットワーク機器を更に提供しており、当該ネットワーク機器は、プロセッサと、メモリと、メモリに記憶されてプロセッサ上で動作可能なコンピュータプログラムとを含み、当該コンピュータプログラムがプロセッサによって実行されると、上記方法実施例に示す決定方法の手順が実現され、同じ技術的効果も達成できるが、重複を回避するために、ここで繰り返して説明しない。
【０１２１】
本発明の実施例は、コンピュータプログラムを記憶したコンピュータ読取可能な記憶媒体を更に提供しており、当該コンピュータプログラムがプロセッサによって実行されると、上記方法実施例に示す決定方法の手順が実現され、同じ技術的効果も達成できるが、重複を回避するために、ここで繰り返して説明しない。そのうち、コンピュータ読取可能な記憶媒体は、例えば読み取り専用メモリ（Ｒｅａｄ−Ｏｎｌｙ  Ｍｅｍｏｒｙ、ＲＯＭと略す）、ランダムアクセスメモリ（Ｒａｎｄｏｍ  Ａｃｃｅｓｓ  Ｍｅｍｏｒｙ、ＲＡＭと略す）、磁気ディスク又は光ディスク等である。
【０１２２】
なお、本明細書において、用語「含む」、「包含」又は他の任意の変体は、排他的に含むことに限定されず、一連の要素を含むプロセス、方法、物又は装置は、これらの要素を含むことだけではなく、明示的に列挙されていない他の要素、又はこのプロセス、方法、物若しくは装置の固有の要素を含む。さらなる制限がない限り、用語「１つの・・・を含む」より限定された要素は、該要素を含むプロセス、方法、物又は装置に他の同一の要素が存在することを排除しない。
【０１２３】
上記の実施形態に対する説明から、当業者は、ソフトウェアに、必要な汎用ハードウェアプラットフォームを加えるという方式で、上記実施例の方法が実現可能であると明確に理解でき、勿論、ハードウェアによっても実現可能であるが、多くの場合は、前者は、より好適な実施形態となる。このような理解に基づいて、本願の技術案の本質的部分、あるいは従来技術に対する貢献をもたらす部分は、ソフトウェア製品の形で具現化することができ、当該コンピュータソフトウェア製品は、記憶媒体（例えばＲＯＭ／ＲＡＭ、磁気ディスク、光ディスク）に記憶され、一台の端末（携帯電話、コンピュータ、サーバ、エアコンやネットワークデバイス等であり得る）が本発明の各実施例に記載の方法を実行可能にするためのいくつかのコマンドを含む。
【０１２４】
以上、図面を参照して本発明の実施例を説明したが、本発明は、上記の具体的な実施形態に限定されず、上記の具体的な実施形態は、あくまでも例示的なもので、限定的なものではない。当業者は、本発明の啓示の下で、本発明の主旨及び請求項の保護範囲から逸脱することなく、多数の形態を作り出すことができ、それは、全て本発明の保護範囲に含まれるものとする。
【図１】
2021533661.tif 000003
【図２】
2021533661.tif 000004
【図３】
2021533661.tif 000005
【図４】
2021533661.tif 000006
【図５】
2021533661.tif 000007
【図６】
2021533661.tif 000008
【図７】
2021533661.tif 000009
【図８】
2021533661.tif 000010
【図９】
2021533661.tif 000011
【図１０】
2021533661.tif 000012
【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
端末に適用される決定方法であって、
ネットワーク機器から第一情報を受信するステップであって、前記第一情報は、第一周期内の上りリンクデータチャネルのＭ個の候補伝送機会を指示するためのものであり、前記第一周期は、アンライセンス周波数帯域でのセミパーシステントスケジューリングリソースの一周期であり、Ｍは、２以上の正整数であるステップと、
前記第一情報に基づいて、前記第一周期内の上りリンクデータチャネルのＭ個の候補伝送機会を決定するステップとを包含する、ことを特徴とする決定方法。
【請求項２】
前記第一情報は、前記第一周期内の各々の候補伝送機会の第一時間位置又は前記第一周期内の１個目の候補伝送機会の第一時間位置、前記Ｍ個の候補伝送機会に対応する時間ウィンドウ長及び時間領域リソース長セットのうち、少なくとも１つを指示するためのものであり、前記第一時間位置は、開始位置及び終了位置のうち、少なくとも１つを含み、前記時間領域リソース長セットは、前記各々の候補伝送機会の時間領域リソース長を指示するための少なくとも１つの時間領域リソース長を含む、ことを特徴とする請求項１に記載の決定方法。
【請求項３】
前記Ｍ個の候補伝送機会は、時間領域において、連続的であるか、又は等間隔である、ことを特徴とする請求項２に記載の決定方法。
【請求項４】
前記Ｍ個の候補伝送機会は、上りリンクタイムスロット／サブフレーム／シンボルに位置する、ことを特徴とする請求項２に記載の決定方法。
【請求項５】
前記第一情報に基づいて、前記第一周期内の上りリンクデータチャネルのＭ個の候補伝送機会を決定するステップは、
前記第一情報が各候補伝送機会の第一時間位置を指示するためのものである場合、前記各候補伝送機会の第一時間位置及び対応する時間領域リソース長に基づいて、前記各候補伝送機会を決定すること、
又は、
前記第一情報が１個目の候補伝送機会の第一時間位置を指示するためのものである場合、前記１個目の候補伝送機会の第一時間位置及び対応する時間領域リソース長に基づいて、前記各候補伝送機会を決定することを包含する、ことを特徴とする請求項１〜４の何れか一項に記載の決定方法。
【請求項６】
ネットワーク機器から第一情報を受信するための受信モジュールであって、前記第一情報は、第一周期内の上りリンクデータチャネルのＭ個の候補伝送機会を指示するためのものであり、前記第一周期は、アンライセンス周波数帯域でのセミパーシステントスケジューリングリソースの一周期であり、Ｍは、２以上の正整数である受信モジュールと、
前記受信モジュールにより受信された前記第一情報に基づいて、前記第一周期内の上りリンクデータチャネルのＭ個の候補伝送機会を決定するための決定モジュールとを含む、ことを特徴とする端末。
【請求項７】
前記第一情報は、前記第一周期内の各々の候補伝送機会の第一時間位置又は前記第一周期内の１個目の候補伝送機会の第一時間位置、前記Ｍ個の候補伝送機会に対応する時間ウィンドウ長、及び時間領域リソース長セットのうち、少なくとも１つを指示するためのものであり、前記第一時間位置は、開始位置及び終了位置のうち、少なくとも１つを含み、前記時間領域リソース長セットは、前記各々の候補伝送機会の時間領域リソース長を指示するための少なくとも１つの時間領域リソース長を含む、ことを特徴とする請求項６に記載の端末。
【請求項８】
前記Ｍ個の候補伝送機会は、時間領域において、連続的であるか、又は等間隔である、ことを特徴とする請求項７に記載の端末。
【請求項９】
前記Ｍ個の候補伝送機会は、上りリンクタイムスロット／サブフレーム／シンボルに位置する、ことを特徴とする請求項７に記載の端末。
【請求項１０】
前記決定モジュールは、
前記第一情報が各候補伝送機会の第一時間位置を指示するためのものである場合、前記各候補伝送機会の第一時間位置及び対応する時間領域リソース長に基づいて、前記各候補伝送機会を決定し、
又は、
前記第一情報が１個目の候補伝送機会の第一時間位置を指示するためのものである場合、前記１個目の候補伝送機会の第一時間位置及び対応する時間領域リソース長に基づいて、前記各候補伝送機会を決定する、ことを特徴とする請求項６〜９の何れか一項に記載の端末。
【請求項１１】
第一候補伝送機会で前記上りリンクデータチャネルを送信する送信モジュールを更に含み、
前記第一候補伝送機会の前に、前記端末による前記セミパーシステントスケジューリングリソースの傍受は、その傍受結果がアイドルであり、前記第一候補伝送機会は、前記Ｍ個の候補伝送機会のうち、少なくとも１つの候補伝送機会であり、前記上りリンクデータチャネルには、上りリンク制御情報ＵＣＩが搬送されている、ことを特徴とする請求項６に記載の端末。
【請求項１２】
第一情報を端末に送信するための送信モジュールであって、前記第一情報は、第一周期内の上りリンクデータチャネルのＭ個の候補伝送機会を指示するためのものであり、Ｍは、２以上の正整数であり、前記第一周期は、アンライセンス周波数帯域でのセミパーシステントスケジューリングリソースの一周期であり、前記第一情報は、前記第一情報に基づいて、前記第一周期内の上りリンクデータチャネルのＭ個の候補伝送機会を決定するように前記端末に指示するためのものである送信モジュールを含む、ことを特徴とするネットワーク機器。
【請求項１３】
前記第一情報は、前記第一周期内の各々の候補伝送機会の第一時間位置又は前記第一周期内の１個目の候補伝送機会の第一時間位置、前記Ｍ個の候補伝送機会に対応する時間ウィンドウ長、及び時間領域リソース長セットのうち、少なくとも１つを指示するためのものであり、前記第一時間位置は、開始位置及び終了位置のうち、少なくとも１つを含み、前記時間領域リソース長セットは、前記各々の候補伝送機会の時間領域リソース長を指示するための少なくとも１つの時間領域リソース長を含む、ことを特徴とする請求項１２に記載のネットワーク機器。
【請求項１４】
前記Ｍ個の候補伝送機会は、時間領域において、連続的であるか、又は等間隔である、ことを特徴とする請求項１３に記載のネットワーク機器。
【請求項１５】
前記Ｍ個の候補伝送機会は、上りリンクタイムスロット／サブフレーム／シンボルに位置する、ことを特徴とする請求項１３に記載のネットワーク機器。
【国際調査報告】
2021533661.tif 000013
2021533661.tif 000014
2021533661.tif 000015
2021533661.tif 000016